(57)【要約】【課題】幅寸法が変化する拡幅タイプの橋桁を各支柱上方に連続送りする橋桁の送り方法及びその装置を提供する。【解決手段】支柱Ｃに、橋桁拡幅部の橋桁部分案内用の水平送り装置３を設置する支持手段１を橋桁Ｂの幅方向に移動可能に設置し、橋桁Ｂの幅寸法の変化に伴って変位するウェブｂ１が前記水平送り装置３における送り面１３中間部位に載承されるように前記支持手段１を水平送り装置３の直交方向に強制移動させて橋桁Ｂを連続送りし、前記強制移動は、橋桁幅寸法の設計データから算出される所定橋桁送り込み量に対する橋桁幅方向への移動用データを基に制御する。【選択図】  図２
2004244934.tif 000002
【特許請求の範囲】
【請求項１】
支柱に、橋桁拡幅部の橋桁部分案内用の水平送り装置を設置する支持手段を橋桁の幅方向に移動可能に設置し、橋桁の橋軸方向への送り込みによる橋桁の幅寸法の変化に伴って前記支持手段を強制移動させながら橋桁を連続送りすることを特徴とする橋桁の連続送り方法。
【請求項２】
支柱に、橋桁拡幅部の橋桁部分案内用の水平送り装置を設置する支持手段を橋桁の幅方向に移動可能に設置し、橋桁の幅寸法の変化に伴って変位するウェブが前記水平送り装置における送り面中間部位に載承されるように前記支持手段を水平送り装置の直交方向に強制移動させて橋桁を連続送りすることを特徴とする橋桁の連続送り方法。
【請求項３】
橋桁拡幅部の橋桁部分案内用の水平送り装置を設置する支持手段を、支柱に橋桁の幅方向に移動可能に設置してなり、該移動可能とする手段は、支柱上に設けられ前記支持手段を橋桁の幅方向に移動可能とする案内部と、前記支持手段を橋桁の幅寸法に伴って強制的に移動させる強制移動手段とを備えていることを特徴とする橋桁の連続送り装置。
【請求項４】
前記強制移動手段は、橋桁幅寸法の設計データから算出される所定橋桁送り込み量に対する橋桁幅方向への移動用データで橋桁幅方向の移動量が自動制御されることを特徴とする請求項３記載の橋桁の連続送り装置。
【発明の詳細な説明】
【０００１】
【発明の属する技術分野】
本発明は橋桁の連続送り方法及びその装置、更に詳しくは幅寸法が変化する橋桁の連続送り方法及びその装置に関するものである。
【０００２】
【従来の技術】
橋桁には幅寸法が変化する、所謂拡幅するタイプが多い。このような拡幅するタイプの橋桁をピアやベンド等の支柱上に架設状に送り込むその方法は、各支柱上に支持手段（例えばサンドル等）を組立て、その支持手段にクローラ式水平送り装置を設置し、そのクローラ式水平送り装置の機能によって地場ヤードで組み付けられる橋桁を各支柱上方に架設状に送り込むようになっている。
【０００３】
ところで、幅寸法が変化する拡幅タイプの橋桁を各支柱上方に送り込むには、橋桁のウェブをクローラ式の水平送り装置に載承して行う必要から橋桁の幅寸法に変位に伴って橋桁拡幅部のその水平送り装置をウェブ直下に移動させなければならない。詳細には、橋桁の送り込みに伴ってウェブ位置が変位する度に、支柱上に組立られる仮受け用サンドルでいったん橋桁を持ち替えてから、ウェブが変位する橋桁拡幅部の水平送り装置を設置している支持手段（例えばサンドル等）をウェブ直下まで移動させる、所謂橋桁の持ち替え作業と支持手段（水平送り装置）の移動作業を交互に繰り返して、幅寸法が変化する拡幅タイプの橋桁の橋軸方向への送り込みに対処している。
【０００４】
【発明が解決しようとする課題】
しかしながら、橋桁の持ち替え作業、支持手段の移動作業によって橋桁の連続送りが中止される。しかも水平送り装置における送り面中間部位にウェブを載承して橋桁を安全に送り込む必要性のため、その持ち替え、移動を頻繁に行わねばならず、送り込み効率を非常に悪くし、送り込み工期の長期化を招いている。
また、前記橋桁の持ち替え作業、支持手段の移動作業を、各支柱上で位置を異にして複数箇所で度々行う必要があり、高所であることから、仮受け用サンドル及び支持手段（例えばサンドル等）の組立作業及び撤去作業が煩雑で非常に危険でもある。
しかも、頻繁に橋桁の持ち替え作業、支持手段の移動作業を行うと、送り込み効率を悪くすることから、水平送り装置における送り面の有効幅寸法を利用してウェブがその有効幅の両側近傍に変位した時にその持ち替え作業、支持手段の移動作業を実施しているため、橋桁の送り込み方法としては安全なものではなかった。
尚、前記する橋桁の送り方法及びその装置に関する先行技術文献は、出願人としては不知である。
【０００５】
本発明は上記従来事情に鑑みてなされたもので、その目的とする処は、幅寸法が変化する拡幅タイプの橋桁を各支柱上方に連続送りする橋桁の送り方法及びその装置を提供することにある。
【０００６】
【課題を解決するための手段】
前記課題を解決するために講じた技術的手段は、支柱に、橋桁拡幅部の橋桁部分案内用の水平送り装置を設置する支持手段を橋桁の幅方向に移動可能に設置し、橋桁の橋軸方向への送り込みによる橋桁の幅寸法の変化に伴って前記支持手段を強制移動させながら橋桁を連続送りすることを特徴とする橋桁の連続送り方法である（請求項１）。
水平送り装置としては、クローラ式水平送り装置がその一例として挙げられる。
橋桁は一般的に端部のウェブを水平送り装置に載承して橋軸方向に送り込まれるが、橋桁の幅寸法が変化すると、それに伴って橋桁拡幅部の橋桁部分案内用の水平送り装置をそのウェブ直下に移動させる必要がある。
本発明者は鋭意研究を積み重ねた処、橋桁拡幅部の橋桁部分案内用の水平送り装置を設置する支持手段を、橋桁載承状態のまま支柱上を幅方向、即ち拡幅方向に強制的に移動させることによって橋桁が共連れすることなくその水平送り装置を拡幅方向に移動できることを知見し、本発明に至ったものである。
この強制移動は、橋桁が高重量という特殊性を有効利用して行なわれる。即ち、送り込み対象物が軽量物であれば、強制移動させると、逆側の端部の橋桁拡幅部または橋桁非拡幅部が同様に水平送り装置に載承されていても、強制移動する支持手段と共にその対象物も一緒に移動方向（拡幅方向）に共連れする虞れがあるが、橋桁の場合、数百トンと極めて高重量であるため、橋桁との間に生じる強制移動する水平送り装置の摩擦抵抗を無視して、橋桁を共連れさせずにその支持手段を水平送り装置と共に拡幅方向に強制移動させることが可能であった。
【０００７】
上記手段によれば、橋軸方向に送り込まれる橋桁の幅寸法の変化に伴って、橋桁拡幅部の橋桁部分案内用の水平送り装置を設置する支持手段を強制的に支柱上を移動させて、橋桁の連続送りを可能にする。
【０００８】
そして、支柱に、橋桁拡幅部の橋桁部分案内用の水平送り装置を設置する支持手段を橋桁の幅方向に移動可能に設置し、橋桁の幅寸法の変化に伴って変位するウェブが前記水平送り装置における送り面中間部位に載承されるように前記支持手段を水平送り装置の直交方向に強制移動させて橋桁を連続送りするようにすると更に好適である（請求項２）。
【０００９】
そして、装置においては、橋桁拡幅部の橋桁部分案内用の水平送り装置を設置する支持手段を、支柱に橋桁の幅方向に移動可能に設置してなり、該移動可能とする手段は、支柱上に設けられ前記支持手段を橋桁の幅方向に移動可能とする案内部と、前記支持手段を橋桁の幅寸法に伴って強制的に移動させる強制移動手段とを備えた構成（請求項３）や、その強制移動手段が、橋桁幅寸法の設計データから算出される所定橋桁送り込み量に対する橋桁幅方向への移動用データで橋桁幅方向の移動が自動制御されるようにすると好適なものである（請求項４）。
【００１０】
【発明の実施の形態】
次に、本発明の実施の形態を説明する。
図１及び図２は、橋桁の連続送り方法を実施するその連続送り装置を示し、符号Ａがその連続送り装置である。本実施の形態は、片端側に拡幅する橋桁を例にして説明する。また、連続送り装置Ａにおいて、橋桁拡幅部側の装置部分を拡幅側連続送り部ａ１、非拡幅部側の装置部分を非拡幅側連続送り部ａ２と称して説明する。
【００１１】
この連続送り装置Ａは、図１等に示すように、ピアからなる支柱Ｃの上面に構築された基礎梁ｃ１上に橋桁Ｂの拡幅側に対応して拡幅側連続送り部ａ１を設け、同基礎梁２上に橋桁Ｂの固定側に対応して非拡幅側連続送り部ａ２を構成している。
【００１２】
前記拡幅側連続送り部ａ１は、前記基礎梁ｃ１と、その基礎梁ｃ１に案内部２を介して設けられた支持手段１と、その支持手段１に設置される水平送り装置３と、該支持手段１を橋桁Ｂの橋軸方向への送り込みによる橋桁Ｂの幅寸法の変化に伴って強制的に移動させる強制移動手段４とを備えている。
【００１３】
前記案内部２は、前記基礎梁ｃ１上に橋桁Ｂのウェブｂ１と直交状に設けられた型鋼からなる一対の軌条１２、１２に支持台２２を移動可能に係合して構成されている。
前記係合部にスライドをスムースに行うために軌条１９、１９との間に適宜ガイド手段を設けること自由なものである。
【００１４】
前記支持手段１は、周知のサンドルからなり、前記支持台２２上に所要高さをもって構築され、その上端にウェブｂ１と同方向を向いてクローラ式の水平送り装置３を設置して、その水平送り装置３が基礎梁ｃ１上に前記案内部２を介して橋桁Ｂのウェブｂ１と直交方向に移動可能な構成になっている。
【００１５】
強制移動手段４は、前記軌条１２をクランプするクランプ部１４に軸支した水平ジャッキであり、その水平ジャッキを前記支持台２２に連結させてある。
【００１６】
非拡幅側連続送り部ａ２は、前記基礎梁ｃ１上に直接的もしくは間接的に型鋼でもって支持台５を構築し、その支持台５にサンドルからなる支持手段６を構築し、その支持手段６上端にウェブｂ２と同方向を向いてクローラ式の水平送り装置３を設置して構成されている。
本実施の形態では、橋桁Ｂ両端部のウェブｂ１、ｂ２各々に沿って橋桁送り込み方向前後位置に水平送り装置３、３を設置した支持手段１、６を設け、各々のウェブｂ１、ｂ２を前後の水平送り装置３、３で載承して橋桁Ｂの送り込みに対処する場合を示している。
【００１７】
また、前記強制移動手段４であるその水平ジャッキは、拡幅する橋桁幅寸法の設計データから算出される所定橋桁送り込み量に対する橋桁幅方向の移動用データで伸縮量が設定されており、本実施の形態では、橋桁の幅寸法の変化に伴って変位するウェブｂ１が水平送り装置３における送り面１３の中間部位に載承されるようにその支持手段１を水平送り装置３の直交方向にウェブｂ１を載承された状態で自動的に強制移動させるように制御される。
【００１８】
以上のように構成されている橋桁の連続送り装置Ａは、地場ヤードで橋桁を組み付けつつ、拡幅側連続送り部ａ１における水平送り装置３のその送り面１３に橋桁Ｂの拡幅側のウェブｂ１を、また非拡幅側連続送り部ａ２における水平送り装置３のその送り面１３に橋桁Ｂの非拡幅側のウェブｂ２を各々載承して、その橋桁Ｂを橋軸方向に送り込むと、非拡幅側では、水平送り装置３の送り面１３の丁度中間部でウェブｂ１を載承したまま、また拡幅側でも同じく水平送り装置３における送り面１３中間部位で載承されるようにウェブｂ１を載承させた状態でその支持手段１を自動制御で移動させて、橋桁Ｂを橋軸方向に連続送りする。
前述のように、拡幅側連続送り部ａ１の水平送り装置３が平面視でウェブｂ１と同方向を向く傾斜状であっても、橋桁Ｂが数百トンと極めて高重量な特殊性故、橋桁Ｂを共連れすることなく水平送り装置３を設置する拡幅側の支持手段１をウェブｂ１と直交方向に所定の移動量をもって自動制御させることができる。
尚、拡幅タイプの橋桁では、橋桁自らが高重量であること、及び平面視でのウェブｂ１の傾斜が緩傾斜であること、を要因として、従来と同様に橋桁Ｂを橋軸方向に送り込むことができる。
【００１９】
【発明の効果】
本発明は以上のように支柱に、橋桁拡幅部の橋桁部分案内用の水平送り装置を設置する支持手段を橋桁の幅方向に移動可能に設置し、橋桁の橋軸方向への送り込みによる橋桁の幅寸法の変化に伴って前記支持手段を強制移動させながら橋桁を連続送りすることを特徴とする橋桁の連続送り方法である。
そのため、仮受け用サンドルでいちいち持ち替え、更に水平送り装置を設置する支持手段（例えばサンドル等）を移動させる一連の作業の度に、橋桁の送り込み動作が中断されるようなことがなく、橋桁を連続送りできる。
しかも、仮受け用サンドル及び支持手段（例えばサンドル等）の組立作業及び撤去作業を全く行う必要がなく安全である。
【００２０】
しかも、橋桁の幅寸法の変化に伴って変位するウェブが水平送り装置における送り面中間部位に載承されるように前記支持手段を水平送り装置の直交方向に強制移動させて橋桁を連続送りするようにすると、橋桁の送り込みが安全に行なえる。
【００２１】
そして、装置にあっては、強制移動手段が、橋桁幅寸法の設計データから算出される所定橋桁送り込み量に対する橋桁幅方向への移動用データで橋桁幅方向の移動量を制御するようにしているため、橋桁幅寸法の高精度な設計データを使用して、橋桁拡幅部の橋桁部分案内用の水平送り装置を設置する支持手段の移動を、より安全且つ確実に制御できる。
【図面の簡単な説明】
【図１】本実施形態の橋桁の連続送り方法を実施する連続送り装置の正面図で概略的に示す。
【図２】同平面図で概略的に示す。
【符号の説明】
Ａ：  連続送り装置                        Ｃ：  支柱
Ｂ：  橋桁                              ａ１：  拡幅側連続送り部
ａ２：  非拡幅側連続送り部                  ３：  水平送り装置
１：  支持手段（拡幅側連続送り部の支持手段）
６：  支持手段（非拡幅側連続送り部の支持手段）
４：  強制移動手段                ｂ１、ｂ２：  ウェブ
２：  案内部
【図１】
2004244934.tif 000003
【図２】
2004244934.tif 000004